(57)【要約】      （修正有）【課題】車両の車輪上に据え付けられる滑り止め鎖のための張力装置を提供すること。【解決手段】ハウジング内に引き込まれうる張力ストランドは、ラチェット車を備えた巻きロール６２にハウジング６１内部で接続され、この巻きロールは、巻き方向に予め張力がかけられ、軸周りに回転可能なように据え付けられる。ラチェット爪６４は、車輪の回転中に遠心力の影響下で少なくとも部分的に外側に移動させられ得、ラチェット爪がラチェット車６５と係合状態になく、張力ストランドが妨害されていない解放位置から始まり、ラチェット車６５内でのラチェット爪６４の係合、および張力方向に対する張力ストランドの妨害を引き起こす。磁性保持要素６８は、磁気相互作用によりラチェット爪と協働し、車輪の停止中またはゆっくりとした回転中に解放位置からのラチェット爪の偏位を打ち消す、ラチェット爪６４の少なくとも解放位置において戻り力を生成する。【選択図】図７
2011240923.tif 000002
【特許請求の範囲】
【請求項１】
車両の車輪（３）上に据え付けられる滑り止め鎖のための張力ロック（２０，６０）であり、ハウジング（２１，６１）と、前記ハウジング内の開口部を通して前記ハウジング内に引き込まれうる張力ストランド（７）とを具備し、前記張力ストランドは、前記ハウジング（２１，６１）内部で巻きロール（２２，６２）に接続され、前記巻きロール（２２，６２）は、巻き方向に予め張力がかけられ、その軸（ａ１）周りに回転可能なように据え付けられ、ラチェット車（２５，６５）が当該ラチェット車と関連する少なくとも１つのラチェット爪（２４，６４）と共に前記巻きロール上に提供され、前記張力ストランド（７）はその張力の方向に対して前記ラチェット車（２５，６５）内での前記ラチェット爪（２４，６４）の係合によって妨害可能であり、前記ラチェット爪（２４，６４）は、それが前記ラチェット車（２５，６５）との係合状態になく前記張力ストランド（７）が妨害されていない解放位置から、前記車輪（７）の回転下で遠心力の影響下、少なくとも部分的に外側に可動であり、そのような移動は、前記ラチェット車（２５，６５）内での前記ラチェット爪（２４，６４）の係合をもたらす、張力ロックであって、
磁性保持要素（２８，６８）が、磁気相互作用を介して前記ラチェット爪と協働し、前記ラチェット爪（２４，６４）の少なくとも前記解放位置において、前記解放位置から前記ラチェット爪の偏位を打ち消す戻り力を生成することを特徴とする、張力ロック。
【請求項２】
前記保持要素（２８，６８）は、前記ハウジング内に取り付けられた永久磁石によって実現され、前記ラチェット爪（２４，６４）は、前記ラチェット爪の前記解放位置からの偏位の間、前記保持要素から離れるように移動する、少なくとも部分的に磁化可能な材料を具備することを特徴とする、請求項１に記載の張力ロック。
【請求項３】
前記ラチェット爪（６４）は、磁化可能材料、特に軟磁性もしくは硬磁性材料からなることを特徴とする、請求項２に記載の張力ロック。
【請求項４】
前記ラチェット爪（６４）は、前記ハウジング内に保持されるガイド（６７）に沿って可動式に保持されることを特徴とする、請求項１〜３のうちのいずれか一項に記載の張力ロック。
【請求項５】
前記ガイド（６７）は、湾曲経路に沿う前記ラチェット爪（６４）の移動を可能にし、その一端で、前記ラチェット爪（６４）は、少なくとも１つの突出部（６４６）の手段によって前記ラチェット車（６５）に係合することを特徴とする、請求項４に記載の張力ロック。
【請求項６】
前記ラチェット爪（２４）は、軸（ａ２）周りに偏心的に回転可能なように保持されることを特徴とする、請求項１〜３のうちのいずれか一項に記載の張力ロック。
【請求項７】
前記ラチェット爪（６４）は、少なくとも部分的に前記ラチェット車（６５）内部に配列され、前記ラチェット車（６５）は、内側円周表面上にギア（５６）を有し、前記ラチェット爪（６４）は、遠心力によりもたらされるように前記ラチェット爪の（転置および／またはねじれの範囲内の）偏位により前記ギア（５６）と係合させられうることを特徴とする、請求項１〜６のうちのいずれか一項に記載の張力ロック。
【請求項８】
前記ラチェット車（２５）は、外側円周表面上にギア（２６）を具備し、前記ラチェット車は、妨害位置において前記ギア（２６）と協働することを特徴とする、請求項１〜６のうちのいずれか一項に記載の張力ロック。
【請求項９】
前記ラチェット爪（６４）は、プレートのように配列され、前記ラチェット車（６５）と係合させられうる少なくとも１つの突出部（６４６）を具備することを特徴とする、請求項１〜８のうちのいずれか一項に記載の張力ロック。
【請求項１０】
前記巻きロール（２２）および前記ラチェット車（２５）は、互いに一体的に配列されている、請求項１〜９のうちのいずれか一項に記載の張力ロック。
【発明の詳細な説明】
【技術分野】
【０００１】
本発明は、車両の車輪上に据え付けられる滑り止め鎖のための張力装置に関し、この張力装置は、ハウジング、およびハウジング内の開口部を通してハウジング内に引き込まれうる張力ストランドを具備し、張力ストランドは、ハウジング内で巻きロールに接続され、巻きロールは、巻き方向に予め張力をかけられ、かつその軸周りに回転可能なように据え付けられ、ラチェット車に関連する少なくとも１つのラチェット爪を備えるラチェット車が、巻きロール上に提供され、張力ストランドは、ラチェット車内のラチェット爪の係合によってその張力方向に対して妨害可能である。このプロセスにおいて、ラチェット爪は、ラチェット車と係合状態になく張力ストランドが妨害されていない解放位置をとることができ、車輪の回転下でこの解放位置から遠心力の影響下で少なくとも部分的に外側に可動であり、そのためラチェット車内のラチェット爪の係合がもたらされる。
【背景技術】
【０００２】
張力装置は、張力ストランドの張力方向に対する不所望の戻りを避けるために、滑り止め鎖において使用される。滑り止め鎖または張力ストランド上における張力ロックの１つの可能な配列は、例えばオーストリア特許第ＡＴ４１２２０２Ｂ号により知られている。
【０００３】
前述された種類の張力装置は、欧州特許出願公開第２１５１３３６号に開示されている。ラチェット爪は遠心振り子を表しており、このラチェット爪は、車両車輪の特定の回転速度による遠心力の影響下でラチェット車と係合させられ、車輪の停止後または車輪の回転速度の低下後に、その元の位置に戻る。結果として、ラチェット車内におけるラチェット爪の係合は、特定の車輪回転速度または車両速度により、ゆえに張力ストランドのその巻き上げ方向に対する固定によって起こる。一方では、これは、据え付けおよび取り外しの間に鎖を取扱う人物による手動作動に関わりなく張力ストランドを妨害することを可能にする。他方では、巻きロールから張力ストランドを不注意に巻き戻すことが防止され得、タイヤ上での滑り止め鎖の安全な保持が、鎖を取扱う際（車輪が使用されていないとき）にいなかる損傷または支障をも導くことなく、達成されうる。
【０００４】
ラチェット爪の解放位置への戻りは、欧州特許出願公開第２１５１３３６号の張力装置において受動的かまたはバネによるかのいずれかで起こる。前者は、戻りが張力装置が適当な向きをとる場合にのみ起こるであろうということを意味する。ゆえに信頼性のある戻りが提供されない。バネによる戻りは張力装置の全ての位置において信頼性のある戻りを提供するが、バネ力はラチェット車上のラチェット爪の押圧を減少する。
【先行技術文献】
【特許文献】
【０００５】
【特許文献１】オーストリア特許第４１２２０２号
【特許文献２】欧州特許出願公開第２１５１３３６号
【発明の概要】
【発明が解決しようとする課題】
【０００６】
本発明の目的は、一方で解放ために手動で作動される必要がなく、他方でラチェット爪の戻りが改善される、前述された種類の張力ロックを提供ことである。加えて、その張力ロックは、荒い運転の要件を満たす頑強で単純な構成を有するべきである。
【０００７】
前述された種類の張力ロックに基づいて、この目的は、磁気相互作用によりラチェット爪と協働することができ、かつ、ラチェット爪の解放位置からの偏位を打ち消すラチェット爪の少なくとも解放位置における戻り力を生成する、磁気的作用保持要素の助けにより達成される。
【課題を解決するための手段】
【０００８】
この解決法は、車輪の停止またはゆっくりとした回転の間、「磁気バネ」によってラチェット爪の単純で信頼性のある戻りを提供する。磁気相互作用の性質にしたがい、磁性保持要素がラチェット爪上に及ぼす力は、距離が伸びるにつれて増加せず、むしろ減少する。これは、張力ロックの構成要素のより軽い寸法付けを導く。さらに、特に戻り力が妨害位置において０または非常に低い値まで下がるように配列が選択される場合に、コイルバネ（または他の弾力性バネ）を備えた従来の実施形態と比較すると、ラチェット車上のラチェット爪のより良好な固定効果が妨害位置において得られる。
【０００９】
本発明の有利なさらなる発展において、保持要素は、ハウジングに取り付けられた永久磁石の形態に実現され、ラチェット爪、またはラチェット爪の少なくとも一部は、ラチェット爪が解放位置から偏位すると、保持要素から離れるように移動する磁化可能材料を具備する。これは、ラチェット爪が磁化可能材料、特に軟磁化可能または硬磁化可能材料からなる場合に特に有利である。
【００１０】
本発明の一実施形態において、例えばラチェット車の内側円周表面上のギアと組み合わせて、ラチェット爪は、ハウジング内に保持されているガイドに沿って可動式に据え付けられうる。この場合において、ガイドは、湾曲経路に沿うラチェット爪の移動を可能にすることができ、その一端でラチェット爪は、この爪に提供された突出部によってラチェット車に係合するであろう。
【００１１】
単純でありそれゆえに費用効果的な構造によって特徴付けられる本発明の別の実施形態が、ラチェット爪が軸周りに偏心式に回転可能に据え付けられることを提供する。この場合において、ラチェット車と協働しない自由端部分は、ラチェット車と協働するラチェット爪の第２端部分よりも長く、より多くの質量を有することができる。
【００１２】
さらに、ラチェット車は有利に、外側円周表面上にギアを具備することができ、この手段により、構造のさらなる単純化が達成されうる。
【００１３】
高度に小型の構造は、ラチェット車が内側円周表面上にギアを有し、ラチェット爪が遠心力によって引き起こされる転位および／またはねじれによりそのギアと係合させられうるような方法で達成されうる。この構造において、ラチェット爪は、その全体か、または少なくともラチェット車と協働する部分に対して、ラチェット車によって囲まれる。
【００１４】
本発明のさらなる発展において、ラチェット爪がハウジングのガイドピン上を放射方向に転位可能であるように据え付けられ、ラチェット爪がガイドピンのための受容部を有し、受容部に隣接しラチェット車と係合させられうるラチェット爪の端部分が、ラチェット爪の質量の最大部を有する、単純で小型の構造が達成されうる。この場合において、磁気バネが、ラチェット車と係合させられうる突出部を具備する凹部の端領域とガイドピンとの間に配列される保持要素の手段によって提供されうる。これは、例えば永久磁石要素の手段によって実現されうる。さらに、ラチェット爪は、ラチェット車と協働するその端部分の領域において軸周りに回転可能に保持されて、良好な誘導、およびラチェット爪の移動のこのシーケンスの定義づけ、ゆえに良好な機能性を確実にすることができる。ラチェット爪は、前述されたハウジングのガイドピンを受容するための凹部を具備することができる。凹部に隣接しラチェット車と協働する端領域とは反対の、ラチェット爪の自由端部分は、ラチェット爪の質量の最大部を有することができる。
【００１５】
張力ロックの平坦構造が、ラチェット爪がプレートのように配列され、ラチェット車と係合させられうる少なくとも１つの突出部を具備するような方法で達成される。
【００１６】
単純化された組立体、および張力ロックの小型構造は、巻きロールおよびラチェット車が互いに一体的に配列されるような方法で達成されうる。巻きロールおよびラチェット車はまた、張力ロックの製造において互いに接続される別個の構成要素であってもよい。
【００１７】
本発明およびさらなる利点は、図面に概略的に示される非限定的実施形態を参照することによって以下でより詳細に説明されるだろう。
【図面の簡単な説明】
【００１８】
【図１】車両タイヤ上に据え付けられた片側ストランドのため張力ロックを備えた滑り止め鎖の側面図である。
【図２】ハウジングカバーが取り除かれ、ラチェット爪が妨害位置にある状態の本発明の第１実施形態にしたがう張力ロックを示す。
【図３】ラチェット爪が解放位置にある状態の図２の張力ロックを示す。
【図４】本発明のさらなる実施形態にしたがう張力ロックの側面図である。
【図５】図６の張力ロックの分解図である。
【図６】ラチェット爪が妨害位置にある状態の図６の張力ロックの断面図である。
【図７】ラチェット爪が解放位置にある状態の図６の張力ロックの断面図である。
【発明を実施するための形態】
【００１９】
図１は、車軸ｒを有する車両車輪３のタイヤ２上に据え付けられた、滑り止め鎖１の側面図を示す。滑り止め鎖１の鎖ネット４は、共に保持されるか、または側面ストランド５によって既知の方法でタイヤの内側および外側に張力がかけられる。張力ロック６は、車輪の回転運動の間、張力方向に対して張力ストランドを妨害する。
【００２０】
タイヤの内側上の側面ストランド５は、弾力的に配列され得、本発明にしたがう張力ロック６によって共に保持されうるということに注目すべきである。しかしながら別の構造が外側上に使用されうる。他方で張力ロックを含む張力装置全体も、外側および内側に同様の方法で配列されうる。いずれの場合においても、本発明は、タイヤの２つの側面のうちのいずれか一方に対する適用に限定されない。
【００２１】
側面ストランド５は、張力バネ、例えばコイルバネを具備することができる。以下で参照番号７で指定される張力ストランドが、コイルバネの内側に延びることができる。ジャケットを表す張力バネの張力は、非常に大きいので、例えばスノーチェーンである、滑り止め鎖１は、鎖を適用した後に、張力がかけられる。
【００２２】
図２〜図７は、本発明にしたがう張力ロック６の実施形態２０，６０を示す。本発明は例示された実施形態に限定されないということが理解される。代わりに、実施形態の組み合わせおよび実施形態に対する変更が、特許請求の範囲内に含まれる程度に可能である。
【００２３】
図２にしたがって、第１実施形態の張力ロック２０は、ハウジング２１を具備する。張力ストランド７は、ハウジング内の開口部を通ってハウジング２１に引き込まれうるか、または、前記開口部を通してハウジング２１から引き出されうる。ハウジング２１内部で、張力ストランド７は、巻き上げ方向に予め張力がかけられ、軸ａ１周りに回転可能に保持される巻きロール２２に接続され、その巻きロール２２上に張力ストランド７は巻き上げられうる。巻きロール２２は、例えばコイルバネ２３の手段によって巻き上げ方向に予め張力がかけられ得、コイルバネ２３の端部は巻きロール２２、および張力ロック２０のハウジング２１上に固定される。張力ストランド７の他端は、張力ロック２０のハウジング２１の外側上に留められうる。
【００２４】
ラチェット車に関連する少なくとも１つのラチェット爪２４を備えたラチェット車２５は、巻きロール２２上に提供される。ラチェット車２５は、外側円周表面上のギア２６を具備する。ラチェット爪は、軸ａ２周りで偏心であるように据え付けられ、ジャーナルとして配列される前記軸ａ２周りに旋回可能である。図２および図３の図に示されているように、ラチェット爪の支持は、ラチェット車２５と協働する端部２４１とは反対の端領域２４２によって起こりうる。
【００２５】
図２において、ラチェット爪は、ラチェット車２５へ移動させられ、張力ストランド７は、ラチェット車２５内におけるラチェット爪２４の結果として生じた係合によって張力方向に対して妨害されうる。
【００２６】
図３は、車輪３の停止の間のラチェット爪２４を示す。この場合において、ラチェット爪２４は、使用されていない位置（解放位置）にあり、この位置においてラチェット爪２４は、ラチェット車２５とは係合状態になく、張力ストランド７は、妨害されておらず、その巻上げ方向に対する力の作用の下、ハウジングから引き出され得、滑り止め鎖１は、タイヤ２上に据え付けられるか、または取り外されうる。張力ロック２０は、運転中のかなりの力の影響下でさえ張力ストランド７を固定する目的のために使用され、ゆえに滑り止め鎖１の良好な把持を確実にする。
【００２７】
ラチェット爪、およびラチェット車のギアが互いに対して一致する方法で配列されうることは、本発明の全ての例示される実施形態に適用される。巻きロール２２およびラチェット車２５は有利に、本発明の全ての実施形態において、互いに一体的に配列されうる。
【００２８】
車輪３の回転により生成される遠心力の作用の下、ラチェット爪２４は、車輪３の停止の間の使用されていない位置から、少なくとも部分的に外側に移動され、この位置でラチェット爪２４はラチェット車２５とは係合状態になく、張力ストランド７は妨害されていないということも、本発明の全ての例示される実施形態に適用される。遠心力によって引き起こされるこの移動の結果として、ラチェット車２５内におけるラチェット爪２４の係合が生成される。ラチェット爪の妨害位置から使用されていない位置への戻りは、ハウジング内に、または、例えばカウンターパート２７の代わりにラチェット車それ自体上に、配置されうる磁性保持要素の助けにより起こる。
【００２９】
ハウジング内に固定された永久磁石２８は、ラチェット爪２４と関係付けられ、磁性材料からなるカウンターパート２７に作用し、それに反してラチェット爪の残部は非磁性材料からなる。したがって保持要素として使用される永久磁石２８は、カウンターパート２７に磁力を及ぼす。保持要素２８は、例えばネオジム、鉄、およびホウ素（より正確にはＮｄ２Ｆｅ１４Ｂのベース化合物に基づく合金である「ＮｄＦｅＢ」）から作製される永久磁石の形態で配列されうる。腐食から保護するためにニッケルめっきされたＮｄＦｅＢ磁石は周知であり、市場で入手可能である。それらは、高磁場密度および高保磁力によって特徴付けられる。ラチェット爪内のカウンターパート２７は典型的に、ステンレス鋼からなる。一般的に、カウンターパートは、鉄、磁化可能鋼、または任意の他の容易に磁化可能な軟磁性もしくは硬磁性材料からなることができる。材料の選択は、磁石とカウンターパートとの間の結果として生ずる引力は、車輪のそれ程速くない巻き速度（例えば、１０ｋｍ／時の駆動速度に対応する）の間に得られる遠心力によって克服されうるという事実に対してなされる。張力ロックの他の構成要素は、高強度プラスチック、アルミニウム、または非磁性鋼などの非磁性材料から適切になる。
【００３０】
１つの変形体において、ラチェット爪２４全体、またはラチェット車と協働するその端部２４１もまた、磁性材料からなることができ、したがってラチェット爪はそれ自体、カウンターパートの機能を実行する。別の変形体において、磁石およびカウンターパートの位置はまた、相互に交換され得、したがって磁石がラチェット爪上に配列されて、カウンターパートとして使用される構成要素またはハウジングの一部と共に作動する。
【００３１】
車輪の回転運動がいったん減少したら、それに応じて遠心力の効果も減少する。その後、保持要素とカウンターパートとの間の磁気引力が優勢になり、ラチェット爪が解放位置に退却する（図３）。
【００３２】
図４および図７は、張力ロック６０がラチェット爪６４を具備する本発明のさらなる実施形態を示し、ラチェット爪６４の移動は、軸支持に代わってガイドによって決定される。
【００３３】
この実施形態において、ハウジング６１（図４）は２部からなり、この２部は、例えばリベット６１０（図５）によって接続される、ハウジングの基部６１１およびカバー６１２である。張力ロック６０は好ましくは、鎖１の据え付けられた状態のタイヤ上に基部６１１の背部がある状態で置かれる。図５に示されているように、張力ストランド７の２つの端部が、巻きロール６２上に巻き上げられている。ストランドの２つの端部の巻きが、張力ストランドの対称的短縮という利点に導く。他の実施形態のように、巻きロール６２は、コイルバネ６３の手段によって予め張力がかけられている。ラチェット車６５は、この実施形態において巻きロール６２とは別個の構成要素であり、このラチェット車６５は、節部６５１を介してラチェット車の外側上で巻きロール６２と接触状態にあり、内側ギア６６が提供されている。節部６５１の非対称配列が、製造において利点を提供し、ラチェット車と巻きロールとの間に改善された接続をさらに提供する。
【００３４】
ラチェット爪６４は、この配列においてジャーナル内に保持されない。むしろラチェット爪の移動は、ガイドによって定められる。ガイド要素６７が、この目的のためにハウジング内に提供され、このガイド要素６７は、ハウジングに対して不動であり、好ましくはハウジングの基部６１１と一体的に、ハウジングの内側にハウジングの床上に配列される。ラチェット爪６４は、ガイド要素を囲む凹部を形成する形状を有し、ラチェット爪は、ガイド要素のフランクに沿ってスライドし、この移動に対して横断方向にガイド要素６７上に置かれることができる。図６および図７に示されているように、ラチェット爪６４は特に、対向して配置された２つの端領域６４１、６４２を具備し、それらの間にガイド要素が位置され、それら２つの端領域６４１、６４２はガイド要素周りを誘導される中央領域６４３によって接続されている。２つの端領域６４１、６４２は、各々１つのフランクがガイド要素６７上ある状態で置かれる。示されているように、フランクは、典型的に同心回転領域、例えば円筒ジャケット領域の形態に曲げられ得、したがってそれらフランクは、ラチェット爪６４の湾曲経路を定める。
【００３５】
ラチェット爪６４の２つの端領域６４１、６４２には、異なる大きい構成が提供されており、外側端領域６４２は、ラチェット爪の質量の大部分（すなわち最大部分）を有する。ラチェット６４は、ガイド要素６７に対してさらに外側に配置されるような方法で全体として成形される。（用語「外側」はこの点において、鎖１および張力ロックが据え付けられた車輪の軸ｒを基準にしていると理解されるであろう。）車輪の回転運動の間、ラチェット爪６４は、外側すなわち図６の上方への遠心力の影響下で移動される。この場合において、ラチェット爪６４は、中央領域６４３内に配列された突出部６４６を介してギア６６と係合し、ゆえにラチェット車６５および協働する巻きロール６３の妨害を引き起こす。既に言及された湾曲誘導の結果として、ラチェット爪６４の突出部６４６と協働するギア６６の一部は、かなりの低い程度まで剪断加工（ｓｈｅａｒｉｎｇ）することによって負荷がかけられる。ラチェット車６５の妨害の間に起こる力が、支持として使用されるガイド要素６７によって吸収されるだろう。
【００３６】
車輪が停止したとき図７に示されたようにラチェット爪６４の解放位置への信頼性のある戻りを達成するために、磁気的に作用する保持要素６８が、ハウジングの基部６１１に形成されたハウジングの床に提供され、その保持要素は、永久磁石として例示された例において実現される。例示された実施形態において、ニッケルめっきされたＮｄＦｅＢから作製された寸法３×２×１ｍｍの磁性要素が例えば使用される。ラチェット爪はステンレス鋼からなる。張力ロックの他の構成要素は、高強度プラスチック、アルミニウム、または非磁性鋼などの非磁性材料からなる。
【００３７】
保持要素は、ハウジングの床の位置に配置され、ラチェット爪６４が解放位置にあるときにラチェット爪６４の端領域６４２の近くに位置する。ラチェット爪の偏位の間、ラチェット爪は、保持要素から離れるように移動する。保持要素６８は、磁気的に端領域６４２に作用し、端領域６４２を磁力で引き付け、したがって解放位置においてラチェット爪は、磁力によって保持される。鎖が張力ロック６０と共に据え付けられた車輪が回転するとき、遠心力が追加的に、すでに言及されたようにラチェット爪６４に作用し、その大きさは、回転速度の二乗（そしてゆえに移動速度の二乗）で増加する。したがって遠心力は、ある速度から磁力を克服することができ、したがってラチェット爪２４は、図６に示されているように妨害位置に移動される。
【００３８】
ラチェット爪は、妨害位置において磁石６８から非常に遠く離れているので、磁場の作用の限定された範囲の結果として、磁力が無視できるほど小さい。これは、戻り力によって打ち消されることなく、巻きロールの信頼性のある妨害に導く（例えば従来のモデルの伸縮バネ）。車両がよりゆっくりとなり最終的に停止する場合、張力ロックは、非常にゆっくりとした移動の間少なくとも一時的に図６に示されているような向きをとり、ここでラチェット爪は、磁性保持要素６８の上方に配置される。次いでラチェット爪６４は、重力の影響下で保持要素に向かって下方に落ち、この手段によって、ラチェット爪６４は保持要素の作用の範囲に移動し、図７の解放位置に保持される。これは、解放位置の使用されていない位置へのラチェット爪の信頼性のある戻りに導き、ラチェット爪は車輪が停止している間この位置に保たれる。
【００３９】
図５にさらに示されているように、ラチェット爪は、プレート様方法で配列され、一方でその平坦な側面を巻きロール６２上に置き、他方でハウジングの床であるハウジングの基部の内側上に位置する。ラチェット爪６４の可動性を改善するために、ハウジング床には、効果的な支持表面を減少するリブ６９が提供され、ゆえにガイド要素６７に沿う移動の間ラチェット爪６４のスライドを促進することができる。所望の場合、リブ６９は、ラチェット爪６４の移動の誘導に追加的に貢献するような方法で形成されうる。
【００４０】
例示された本発明は、例示された実施形態に限定されず、独立請求項に含まれる全ての実施形態を含むということは理解される。特に、例示された実施形態は、適切な場合には、互いに組み合されうる。特に、ラチェット爪はまた、図５と関連する変形体において軸としてラチェット爪から形成されたピンの助けを用いて、または逆に、他の実施形態において軸の代わりにガイドの助けを用いて、誘導されうる。同様に磁石およびカウンターパートの位置は交換されうる。
【符号の説明】
【００４１】
１滑り止め鎖
２タイヤ
３車両車輪
４鎖ネット
５側面ストランド
６張力ロック
７張力ストランド
２０張力ロック
２１ハウジング
２２巻きロール
２３コイルバネ
２４ラチェット爪
２５ラチェット車
２６ギア
２８保持要素、永久磁石
２４１端部
２４２端領域
６０張力ロック
６１ハウジング
６２巻きロール
６３コイルバネ
６４ラチェット爪
６５ラチェット車
６６内側ギア
６７ガイド要素
６８保持要素
６９リブ
６１０リベット
６１１基部
６１２カバー
６４１端領域
６４２端領域
６４３中央領域
６４６突出部
６５１節部
【図１】
2011240923.tif 000003
【図２】
2011240923.tif 000004
【図３】
2011240923.tif 000005
【図４】
2011240923.tif 000006
【図５】
2011240923.tif 000007
【図６】
2011240923.tif 000008
【図７】
2011240923.tif 000009